(57)【特許請求の範囲】
【請求項１】
折り曲げ線を介して複数のシートに区画された貼り合わせ葉書素材の任意の一または複数の位置にカード領域が設けられるとともに、該領域のうち少なくとも一の領域内にはＩＣおよびこれに接続されたアンテナを備えたＲＦ−ＩＤインレットが貼付されており、貼り合わせ葉書素材が折り曲げ線で交互に折り畳まれ、ＲＦ−ＩＤインレットを密封するシート間は完全接着シートにより剥離不能に接着され、他のシート間は疑似接着シートにより剥離可能に接着されていることを特徴とするＲＦ−ＩＤカード付き葉書。
【請求項２】
上記カード領域の周囲にハーフカットを設けたことを特徴とする請求項１記載のＲＦ−ＩＤカード付き葉書。
【請求項３】
上記カード領域の少なくとも一部が葉書の宛名情報を含み、カード情報の一部を兼ねていることを特徴とする請求項１または２に記載のＲＦ−ＩＤカード付き葉書。
【発明の詳細な説明】
【０００１】
【発明の属する技術分野】
この発明は、ＲＦ−ＩＤカードを郵送するためのＲＦ−ＩＤカード付き葉書に関する。
【０００２】
【従来の技術】
非接触でデータを読み書きできて薄く軽量なＲＦ−ＩＤカードは、その扱いデータ量の豊富さ、取り扱いの容易さ等から次第に普及し、ＲＦ−ＩＤカードの郵送も増加してきている。
【０００３】
従来、磁気カード等を郵送するには、カードを挟み込んだり貼り付けたりした台紙を封筒に入れていた。ＲＦ−ＩＤカードの郵送の場合も同様に封書が用いられていた。しかし、この郵送方法には次のような問題がある。すなわち、（１）封書は葉書よりも郵便料金が高い、（２）カードと台紙は別々に製造され、これらを貼り合わせたりするから、コスト高となる、（３）カードと台紙を組み合わせてから台紙にデータを印字するにはカード部分が著しく厚いので、使用するプリンタや印字方式に制約がある。
【０００４】
このような問題を解決するために、磁気カード等に関しては、特開平１０−８６５５９号公報、特開平１１−１０５４６９号公報、特開平１１−１０５４７０号公報、実用新案登録第３００１２３４号公報等にカード付きの葉書が開示されている。これらの葉書はいずれも貼り合わせ葉書であって、３重に貼り合わせたシートのうちの中間のシートや２重に貼り合わせたシートの裏側のシートに磁気カード等を形成し、磁気カード等の周囲に切り込み等を設けて葉書から磁気カード等を外しやすくしている。
【０００５】
ＲＦ−ＩＤカードに関しては、特開平１１−３０１１４８号公報にＲＦ−ＩＤカード付きの葉書が開示されている。この葉書は、葉書の製造工程で上紙と下紙との間にＲＦ−ＩＤのアンテナとＩＣチップを挟み込み、ＲＦ−ＩＤカードと葉書を一体にしたものである。
【０００６】
【発明が解決しようとする課題】
この発明は、上述の問題点を解決し、製造が容易、安価で、取り扱いやすいＲＦ−ＩＤカード付き葉書を提供するものである。
【０００７】
【課題を解決するための手段】
上述の課題を解決するために、この発明においては、折り曲げ線を介して複数のシートに区画された貼り合わせ葉書素材の任意の一または複数の位置にカード領域が設けられるとともに、該領域のうち少なくとも一の領域内にはＩＣおよびこれに接続されたアンテナを備えたＲＦ−ＩＤインレットが貼付されており、貼り合わせ葉書素材が折り曲げ線で交互に折り畳まれ、ＲＦ−ＩＤインレットを密封するシート間は完全接着シートにより剥離不能に接着され、他のシート間は疑似接着シートにより剥離可能に接着されているようにする。
【０００８】
この発明のＲＦ−ＩＤカード付き葉書は、ＩＣとアンテナ部分を予めＲＦ−ＩＤインレットとしてサブ組みしておき、これを葉書素材に貼付するから、製造が簡単で容易である。葉書の宛名領域の宛先氏名、発信人名などを、ＲＦ−ＩＤカードのカード情報として兼ねれば、重複記載が避けられ、葉書の印刷内容が簡単になる。
【０００９】
葉書内に形成されたＲＦ−ＩＤカードは、受取人が切り取り線に沿って切り取ってもよいが、ＲＦ−ＩＤカード部分の周囲を完全に切断し、この部分に貼り合わせられた他のシートはカットしないハーフカットを設けると扱いやすい。
【００１０】
【発明の実施の形態】
この発明の実施の形態を、以下、図面を参照して説明する。
【００１１】
図１は、製造工程におけるこの発明の一実施の形態のＲＦ−ＩＤカード付き葉書を示す正面図、図２は、図１の側面図、図３は、このＲＦ−ＩＤカード付き葉書素材を折り曲げて貼り合わせた状態を示す側面図、図４は、貼り合わせ葉書を疑似接着剤層で剥がした状態を示す平面図である。
【００１２】
図１および図２において、１は、両側にスプロケット穴部１ａ、１ａを有する３面折り畳みの連続貼り合わせ葉書用紙で、この連続用紙１は、後に説明する印刷、印字、ＲＦ−ＩＤインレット貼付をして、貼り合わせ葉書素材３とする。
【００１３】
貼り合わせ葉書素材３は、折り曲げ線４により通信文シート５、カード裏面シート６および宛名シート８の３つのシートに区画されている。そして、切断線２で分断される前の連続用紙１の状態（図１および図２の状態）で、通信文シート５の表面にはカード送付案内９が、カード裏面シート６のカード領域７の表面にはカードに関する注意事項、所有者サイン欄等１０が、宛名シート８の表面の宛名領域には郵送先、発信元、カード所有者ＩＤ等１１がそれぞれ印刷される。また、カード裏面シート６のカード領域７の裏面にはＲＦ−ＩＤインレット１２が貼付される。このＲＦ−ＩＤインレット１２はフレキシブルな合成樹脂フィルム上にＩＣ１２ａとアンテナ１２ｂを組み込んだ厚みが薄いものなので、インレット貼付後に印刷することもでき、上記の印刷とインレット貼付の工程はどちらを先にしてもよい。
【００１４】
印刷、印字、インレット貼付が終了した連続貼り合わせ葉書素材３は、葉書素材３をＺ型に折り、ＲＦ−ＩＤインレット１２を密封するシート６、８間には完全接着シート１５を、他のシート５、６間には疑似接着シート１３を挟み込んで、熱圧着加工をしてそれぞれ完全接着、疑似接着して葉書状に固定する。その後、両側のスプロケット穴部１ａ、１ａの切り離し、葉書サイズへの切断を行う。ＲＦ−ＩＤインレット１２は完全密封され、ハーフカット１８で切り取ることでカード１７になる。
【００１５】
なお、上記疑似接着シート１３は、疑似接着層１４を透明フィルム１３ａ、１３ａで挟み込み、その両面にホットメルト糊１９、１９を塗布したもので、上記のように、他のシートでこの疑似接着シート１３を挟んで熱圧着加工すると、ホットメルト糊部分が完全接着し、疑似接着層１４から剥がすことができる。また、完全接着シート１５は、薄紙２０の両面にホットメルト糊１９、１９を塗布したもので、他のシートでこの完全接着シート１５を挟んで熱圧着加工すると、ホットメルト糊部分が完全接着して剥がすことができない。
【００１６】
その後、上記カード領域７、１６とその周囲との境界線を完全に切断し、この部分に貼り合わせられた通信文シート５はカットしない、ハーフカット１８を設けて、ＲＦ−ＩＤカード付き葉書を郵送できる状態にする。
【００１７】
この葉書の受取人は、図４のように、疑似接着面１４を剥がしてカード送付案内９を読み、ハーフカット１８部分で切り離されているＲＦ−ＩＤカード１７を取り出す。ＲＦ−ＩＤカード１７の表面には種々のカード情報が、また、裏面には注意事項等が印字されていて、カードとして使用することができる。
【００１８】
この発明のＲＦ−ＩＤカード付き葉書は、上述の実施の形態に限らず、種々の形態が含まれる。例えば、連続用紙に印刷、印字、貼付等をする代わりに、単票の葉書用紙に印刷、印字、貼付等をしてもよく、また、３面折り畳みに限らず、２面あるいは４面以上の折り畳み葉書にこの発明を適用することができる。折り畳み方に応じて、表裏両面に印刷することもできる。
【００１９】
上記宛名シート８の表面の宛名１１のうち、宛先の氏名、カード所有者ＩＤ、発信元（カード発行元）名、その他有効期限、カード名等のカード情報が、カード領域１６（カード裏面シート６のカード領域７と重なる領域）内に印刷されていて、宛名１１の少なくとも一部がＲＦ−ＩＤカード１７のカード情報を兼ねるようになっていてもよい。
【００２０】
また、宛名シートの宛名とＲＦ−ＩＤカードのカード情報とを兼ねることなく、別々に設けてもよい。
【００２１】
また、カード情報の印刷に代えて、エンボス印字とすることもできる。ＲＦ−ＩＤインレットのＩＣ、アンテナはインレットの全面にあるのではなく、ＲＦ−ＩＤカードにはそれ以外の「余白部分」が多いからである。
【００２２】
ハーフカットは必ずしも必要ではなく、切り取り線を印刷しておいて、この線に沿ってＲＦ−ＩＤカードを切り離すこともできる。
【００２３】
【発明の効果】
以上詳細に説明したように、この発明によれば、ＲＦ−ＩＤインレットを葉書とは別途に製造できる、カードと葉書への同時印字も、段差などによる制約がなく容易である、等ＲＦ−ＩＤカードと葉書の製作が容易、安価である。また、ＲＦ−ＩＤカードを割安な葉書料金で郵送することができる。
【図面の簡単な説明】
【図１】この発明の一実施の形態を示す平面図。
【図２】図１の側面図。
【図３】図１の貼り合わせ葉書素材を貼り合わせた状態を示す側面図。
【図４】図３の貼り合わせ葉書の疑似接着剤層を剥がした状態を示す平面図。
【符号の説明】
３  貼り合わせ葉書素材
７  カード領域
８  宛名シート
１２  ＲＦ−ＩＤインレット
１２ａ  ＩＣ
１２ｂ  アンテナ
１３  疑似接着シート
１４  疑似接着層
１５  完全接着シート
１６  カード領域
１７  ＲＦ−ＩＤカード
１８  ハーフカット
【図１】
0004442737.tif 000002
【図２】
0004442737.tif 000003
【図３】
0004442737.tif 000004
【図４】
0004442737.tif 000005